(57)【要約】【課題】所定のトリガーを検知して、録画された録画画像のうち検知された所定のトリガーを含む所定時間の録画画像をオペレータ端末の表示手段に表示する録画画像共有システムを提供する。【解決手段】録画画像共有システム１は、ウェアラブル端末１０で撮像された撮像画像の録画画像を、接続されたオペレータ端末２０と共有し、ウェアラブル端末１０で撮像された撮像画像を録画する録画モジュール２０１と、所定のトリガーを検知する検知モジュール２０４と、録画された録画画像のうち、検知された所定のトリガーを含む所定時間の録画画像を、オペレータ端末２０の表示部２４に表示する表示制御モジュール２０６と、を備える。【選択図】図１
2017208352.tif 000002
【特許請求の範囲】
【請求項１】
ウェアラブル端末で撮像された撮像画像の録画画像を、接続されたオペレータ端末と共有する録画画像共有システムであって、
前記ウェアラブル端末で撮像された撮像画像を録画する録画手段と、
所定のトリガーを検知する検知手段と、
前記録画された録画画像のうち、前記検知された所定のトリガーを含む所定時間の録画画像を、前記オペレータ端末の表示手段に表示する表示制御手段と、
を備えることを特徴とする録画画像共有システム。
【請求項２】
前記検知手段は、所定のトリガーとして、前記ウェアラブル端末のユーザの動作を検知する
ことを特徴とする請求項１に記載の録画画像共有システム。
【請求項３】
前記ウェアラブル端末で集音された音声を録音する録音手段を備え、
前記検知手段は、前記所定のトリガーとして、前記ウェアラブル端末のユーザの声を検知することを特徴とする請求項１に記載の録画画像共有システム。
【請求項４】
前記ウェアラブル端末で集音された音声を録音する録音手段を備え、
前記検知手段は、前記所定のトリガーとして、前記ウェアラブル端末のユーザの動作と声の組み合わせを検知することを特徴とする請求項１に記載の録画画像共有システム。
【請求項５】
前記検知手段は、前記所定のトリガーとして、所定の環境音を検知することを特徴とする請求項１に記載の録画画像共有システム。
【請求項６】
前記所定時間を前記検知手段が検知した対象又は録画された画像に応じて変更する時間変更手段を備えることを特徴とする請求項１に記載の録画画像共有システム。
【請求項７】
前記ウェアラブル端末の表示部に、前記検知された所定のトリガーを含む所定時間の録画画像を表示することを特徴とする請求項１に記載の録画画像共有システム。
【請求項８】
ウェアラブル端末で撮像された撮像画像の録画画像を、接続されたオペレータ端末と共有する録画画像共有システムが実行する方法であって、
前記ウェアラブル端末で撮像された撮像画像を録画する録画ステップと、
所定のトリガーを検知する検知ステップと、
前記録画された録画画像のうち、前記検知された所定のトリガーを含む所定時間の録画画像を、前記オペレータ端末の表示手段に表示する表示制御ステップと、
を含む方法。
【請求項９】
ウェアラブル端末で撮像された撮像画像の録画画像を、接続されたオペレータ端末と共有する録画画像共有システムを制御するコンピュータを、
前記ウェアラブル端末で撮像された撮像画像を録画する録画手段、
所定のトリガーを検知する検知手段、
前記録画された録画画像のうち、前記検知された所定のトリガーを含む所定時間の録画画像を、前記オペレータ端末の表示手段に表示する表示制御手段、
として機能させるためのプログラム。
【発明の詳細な説明】
【技術分野】
【０００１】
本発明は、ウェアラブル端末で撮像された撮像画像の録画画像を、接続されたオペレータ端末と共有する録画画像共有システムに関する。
【背景技術】
【０００２】
従来、ハンズフリーで連続的に撮像および録画することができるウェアラブル端末が知られている。【０００３】
このようなウェアラブル端末として、身体に装着するＣＣＤカメラ手段であって、身体前方に指向する撮像レンズと、この撮像レンズの近傍に配置したボタン動作のレーザ光発生手段とを有するＣＣＤカメラ手段と、体に装着するポーチ手段に収納するエンコードサーバー手段であって、ＣＣＤカメラ手段からの映像信号及び内蔵のクロック手段からの日時情報信号をエンコードし、また文字情報に変換した日時情報をスーパーインポーズ手段を介して撮像した映像にスーパーインポーズして記録可能なエンコードサーバー手段と、給電するバッテリ手段とを具えたウェアラブル監視カメラシステムが提案されている（特許文献１参照）。特許文献１のウェアラブル監視カメラシステムによれば、身体に装着するＣＣＤカメラ手段により身体前方の映像を撮像するため、ＣＣＤカメラ手段の装着者が身体部分を向けることができる全方位にわたる映像を連続的にハンズフリーで撮像し、エンコードサーバー手段でエンコードされ、かつ日時情報を刻印した状態で録画することができる。
【先行技術文献】
【特許文献】
【０００４】
【特許文献１】特開２００６−１４８８４２号公報
【発明の概要】
【発明が解決しようとする課題】
【０００５】
しかしながら、特許文献１のウェアラブル監視カメラシステムは、連続的に映像を録画するものの、連続的に録画された録画画像の中から、所望する録画箇所を見たい場合には、この録画画像を順次再生し、目視により、所望する録画箇所を探すしかなかった。【０００６】
本発明は、これらの課題に鑑み、所定のトリガーを検知して、録画された録画画像のうち検知された所定のトリガーを含む所定時間の録画画像をオペレータ端末の表示手段に表示する録画画像共有システム、方法及びプログラムを提供することを目的とする。
【課題を解決するための手段】
【０００７】
本発明では、以下のような解決手段を提供する。【０００８】
第１の特徴に係る発明は、
ウェアラブル端末で撮像された撮像画像の録画画像を、接続されたオペレータ端末と共有する録画画像共有システムであって、
前記ウェアラブル端末で撮像された撮像画像を録画する録画手段と、
所定のトリガーを検知する検知手段と、
前記録画された録画画像のうち、前記検知された所定のトリガーを含む所定時間の録画画像を、前記オペレータ端末の表示手段に表示する表示制御手段と、
を備えることを特徴とする録画画像共有システムを提供する。【０００９】
第１の特徴に係る発明によれば、ウェアラブル端末で撮像された撮像画像の録画画像を、接続されたオペレータ端末と共有する録画画像共有システムは、録画手段と、検知手段と、表示制御手段と、を備える。録画手段は、ウェアラブル端末で撮像された撮像画像を録画する。検知手段は、所定のトリガーを検知する。表示制御手段は、録画された録画画像のうち、検知された所定のトリガーを含む所定時間の録画画像を、オペレータ端末の表示手段に表示する。【００１０】
第１の特徴に係る発明は、システムのカテゴリであるが、方法及びプログラムであっても同様の作用、効果を奏する。【００１１】
したがって、所定のトリガーを検知して、録画された録画画像のうち検知された所定のトリガーを含む所定時間の録画画像をオペレータ端末の表示手段に表示する録画画像共有システム、方法及びプログラムを提供できる。【００１２】
第２の特徴に係る発明は、第１の特徴に係る発明に加え、
前記検知手段は、所定のトリガーとして、前記ウェアラブル端末のユーザの動作を検知することを特徴とする録画画像共有システムを提供する。【００１３】
第２の特徴に係る発明によれば、ウェアラブル端末のユーザの動作を検知して、録画された録画画像のうち、このユーザの動作がされた時間を含む所定時間の録画画像をオペレータ端末の表示手段に表示する録画画像共有システムを提供できる。これにより、例えば、ウェアラブル端末を装着しているユーザが、例えば、安全確認や録画対象物の特定を指さし動作で行っている場合、所定のトリガーを、この指さし動作とすることで、指さし動作により安全確認を行った時間や録画対象物が録画された時間を含む所定時間の録画画像を、オペレータ端末の表示手段に表示できる。【００１４】
第３の特徴に係る発明は、第１の特徴に係る発明に加え、
前記ウェアラブル端末で集音された音声を録音する録音手段を備え、
前記検知手段は、前記所定のトリガーとして、前記ウェアラブル端末のユーザの声を検知することを特徴とする録画画像共有システムを提供する。【００１５】
第３の特徴に係る発明によれば、ウェアラブル端末のユーザの声を検知して、録画された録画画像のうち、このユーザの声が発生された時間を含む所定時間の録画画像をオペレータ端末の表示手段に表示する録画画像共有システムを提供できる。これにより、例えば、ウェアラブル端末を装着しているユーザが、例えば、開始の合図や録画対象物の名称を発声している場合、所定のトリガーを、この開始の合図や録画対象物の名称を発声した声とすることで、これらの声を発した時間を含む所定時間の録画画像を、オペレータ端末の表示手段に表示できる。【００１６】
第４の特徴に係る発明は、第１の特徴に係る発明に加え、
前記ウェアラブル端末で集音された音声を録音する録音手段を備え、
前記検知手段は、前記所定のトリガーとして、前記ウェアラブル端末のユーザの動作と声の組み合わせを検知することを特徴とする録画画像共有システムを提供する。【００１７】
第４の特徴に係る発明によれば、ウェアラブル端末のユーザの動作と声の組み合わせを検知して、録画された録画画像のうち、このユーザの動作が行われ、この声が発生された時間を含む所定時間の録画画像をオペレータ端末の表示手段に表示する録画画像共有システムを提供できる。これにより、例えば、ウェアラブル端末を装着しているユーザが、例えば、指さし動作とともに、録画対象物の名称を発声している場合、所定のトリガーを、これらの指さし動作と録画対象物の名称を発声した声とすることで、指さし動作とともに録画対象物の名称を発声した時間を含む所定時間の録画画像を、オペレータ端末の表示手段に表示できる。【００１８】
第５の特徴に係る発明は、第１の特徴に係る発明に加え、
前記検知手段は、前記所定のトリガーとして、所定の環境音を検知することを特徴とする録画画像共有システムを提供する。【００１９】
第５の特徴に係る発明によれば、所定の環境音を検知して、録画された録画画像のうち、この環境音が発生した時間を含む所定時間の録画画像をオペレータ端末の表示手段に表示する録画画像共有システムを提供できる。これにより、例えば、ウェアラブル端末を装着しているユーザが、例えば、事故に遭遇した場合、所定のトリガーを、衝撃音や急ブレーキ音とすることで、事故が発生した時間を含む所定時間の録画画像を、オペレータ端末の表示手段に表示できる。【００２０】
第６の特徴に係る発明は、第１の特徴に係る発明に加え、
前記所定時間を前記検知手段が検知した対象又は録画された画像に応じて変更する時間変更手段を備えることを特徴とする録画画像共有システムを提供する。【００２１】
第６の特徴に係る発明によれば、オペレータ端末の表示手段に表示する録画画像の時間を、所定のトリガーや録画された画像に応じて変更できる録画画像共有システムを提供できる。これにより、録画する対象の所要録画時間に応じて、所定のトリガーを異ならせておくことで、過不足無く録画画像を抜き出して、オペレータ端末の表示手段に表示できる。【００２２】
第７の特徴に係る発明は、第１の特徴に係る発明に加え、
前記ウェアラブル端末の表示部に、前記検知された所定のトリガーを含む所定時間の録画画像を表示することを特徴とする録画画像共有システムを提供する。【００２３】
第７の特徴に係る発明によれば、所定のトリガーを検知して、録画された録画画像のうち検知された所定のトリガーを含む所定時間の録画画像を、オペレータ端末の表示手段とともに、ウェアラブル端末の表示部にも表示できる録画画像共有システムを提供できる。これにより、例えば、ウェアラブル端末を装着したユーザは、オペレータ端末を視認できない場合でも、録画画像を確認できる。
【発明の効果】
【００２４】
本発明によれば、所定のトリガーを検知して、録画された録画画像のうち検知された所定のトリガーを含む所定時間の録画画像をオペレータ端末の表示手段に表示する録画画像共有システム、方法及びプログラムを提供することが可能となる。
【図面の簡単な説明】
【００２５】
【図１】図１は、本発明の好適な実施形態である録画画像共有システム１の概要を説明するための図である。
【図２】図２は、録画画像共有システム１の全体構成図である。
【図３】図３は、録画画像共有システム１におけるウェアラブル端末１０の機能ブロックと各機能の関係を示す図である。
【図４】図４は、録画画像共有システム１におけるオペレータ端末２０の機能ブロックと各機能の関係を示す図である。
【図５】図５は、オペレータ端末２０が実行する録画画像共有処理のフローチャートである。
【図６】図６は、オペレータ端末２０の記憶部２２に記憶されたトリガーデータ２１０を説明する図である。
【図７】図７は、オペレータ端末２０が実行する録画画像共有処理の一例を説明する図である。
【発明を実施するための形態】
【００２６】
以下、本発明を実施するための最良の形態について図を参照しながら説明する。なお、これはあくまでも一例であって、本発明の技術的範囲はこれに限られるものではない。
【００２７】
［録画画像共有システムの概要］
図１は、本発明の好適な実施形態である録画画像共有システム１の概要を説明するための図である。この図１に基づいて、録画画像共有システム１の概要を説明する。録画画像共有システム１は、ウェアラブル端末１０と、オペレータ端末２０と、を備える。
【００２８】
録画画像共有システム１は、ユーザに装着されたウェアラブル端末１０で撮像された撮像画像の録画画像を、接続されたオペレータ端末２０と共有する。
【００２９】
録画画像共有システム１は、ウェアラブル端末１０で撮像された撮像画像や集音された音声を、例えば、無線ＬＡＮ（Ｌｏｃａｌ  Ａｒｅａ  Ｎｅｔｗｏｒｋ）で接続されたオペレータ端末２０に送信し、オペレータ端末２０が送信された撮像画像や音声を録画・録音する。そして、オペレータ端末２０は、所定のトリガーを検知すると、録画・録音した録画画像の中から、検知された所定のトリガーを含む所定時間の録画画像を表示する。
【００３０】
本実施形態において、「所定のトリガー」は、ウェアラブル端末１０のユーザによる所定の動作（例えば、指さし動作等）や、当該ユーザの声（例えば、開始の合図や録画対象物の名称を発声した声等）や、これらを組み合わせたものや、所定の環境音（例えば、衝撃音や急ブレーキ音等）が含まれる。
【００３１】
図１に示す例では、ユーザは、ウェアラブル端末１０で富士山を撮像しているときに、ユーザが指さし動作を行うとともに、「富士山」と発声する。そして、録画画像共有システム１において、ウェアラブル端末１０は、この指さし動作を撮像し、この発声を集音し、オペレータ端末２０にこれら撮像画像や集音した音声のデータを送信する。
【００３２】
オペレータ端末２０は、この受信したデータに、予め設定された所定のトリガーとして、指さし動作の撮像画像や録画対象物の名称（図１に示す例では「富士山」）を発声した声が含まれていることを検出した場合には、撮像画像の時間軸上の位置に、当該所定のトリガーと対応付けたインデックスを付加して録画・録音する。
【００３３】
次に、オペレータ端末２０は、ユーザの操作に基づき、録画・録音したデータを再生する。このとき、オペレータ端末２０は、ウェアラブル端末１０から、所定のトリガーである、指さし動作の撮像画像や録画対象物の名称（図１に示す例では「富士山」）を発声した音声のデータを受信した場合には、この所定のトリガーを検知する。
【００３４】
そして、オペレータ端末２０は、録画・録音された録画画像の中から、検知された所定のトリガーが対応付けられたインデックスを検索し、当該インデックスが付加された時間軸上の位置を含む所定時間の録画画像を、表示する。
【００３５】
これにより、連続的に録画された録画画像のうち、所望する録画箇所を速やかに再生することができる。
【００３６】
［録画画像共有システムのシステム構成］
図２は、録画画像共有システム１の全体構成図である。録画画像共有システム１は、ウェアラブル端末１０と、ウェアラブル端末１０に、例えば、無線ＬＡＮで接続されたオペレータ端末２０と、を備える。なお、録画画像共有システム１において、ウェアラブル端末１０とオペレータ端末２０とは、無線に限らず、有線により接続されていてもよい。
【００３７】
本実施形態において、ウェアラブル端末１０は、例えば、メガネ型であり、メガネのフレームに制御部１１、記憶部１２、通信部１３、撮像部（例えば、ＣＣＤカメラ）１４及び集音部（例えば、マイク）１５が設けられ、メガネのレンズに表示部（例えば、透過型液晶表示装置）１６が設けられている。なお、ウェアラブル端末１０は、オペレータ端末２０を操作するユーザに装着でき、画像が撮像可能であり、音声を集音可能であり、撮像した画像データや集音した音声データをオペレータ端末２０に送信できれば、例えば、小型のビデオカメラ等の任意の構成とすることができる。
【００３８】
また、本実施形態において、オペレータ端末２０は、一般的な情報端末であってよく、後述する機能を備える情報機器であり、例えば、スマートフォン、ノート型ＰＣ、ネットブック端末、スレート端末、電子書籍端末、電子辞書端末、携帯型音楽プレーヤ、携帯型コンテンツ再生・録画プレーヤといった携帯型端末であってもよい。
【００３９】
［各機能の説明］
図３は、録画画像共有システム１におけるウェアラブル端末１０の機能ブロックと各機能の関係を示す図である。図４は、録画画像共有システム１におけるオペレータ端末２０の機能ブロックと各機能の関係を示す図である。
【００４０】
図３に示すように、ウェアラブル端末１０は、制御部１１として、ＣＰＵ（Ｃｅｎｔｒａｌ  Ｐｒｏｃｅｓｓｉｎｇ  Ｕｎｉｔ），ＲＡＭ（Ｒａｎｄｏｍ  Ａｃｃｅｓｓ  Ｍｅｍｏｒｙ），ＲＯＭ（Ｒｅａｄ  Ｏｎｌｙ  Ｍｅｍｏｒｙ）等を備え、記憶部１２として、ハードディスクや半導体メモリによる、データのストレージ部を備え、通信部１３として、例えば、ＩＥＥＥ８０２．１１に準拠したＷｉＦｉ（Ｗｉｒｅｌｅｓｓ  Ｆｉｄｅｌｉｔｙ）対応デバイス（有線であってもよい）等を備える。記憶部１２は、制御プログラム１００、その他、ウェアラブル端末１０の制御に必要なデータを記憶する。また、ウェアラブル端末１０は、撮像部１４として、ＣＣＤカメラ等を備え、集音部１５として、マイク等を備え、表示部１６として、透過型液晶表示装置等を備える。
【００４１】
ウェアラブル端末１０において、制御部１１が制御プログラム１００を読み込むことで、記憶部１２、通信部１３及び撮像部１４と協働して、撮像モジュール１０１を実現する。また、ウェアラブル端末１０において、制御部１１が制御プログラム１００を読み込むことで、記憶部１２、通信部１３及び集音部１５と協働して、集音モジュール１０２を実現する。また、ウェアラブル端末１０において、制御部１１が制御プログラム１００を読み込むことで、記憶部１２、通信部１３及び表示部１６と協働して、表示モジュール１０３を実現する。
【００４２】
図４に示すように、オペレータ端末２０は、ウェアラブル端末１０と同様に、制御部２１として、ＣＰＵ，ＲＡＭ，ＲＯＭ等を備え、記憶部２２として、データのストレージ部を備え、通信部２３として、例えば、ＩＥＥＥ８０２．１１に準拠したＷｉＦｉ対応デバイス、第３世代、第４世代移動通信システム等の国際電気通信連合の規格に準拠した無線デバイス等を備え、記憶部２２は、録画画像共有プログラム２００、トリガーデータ２１０、録音・録画データ２２０、その他、オペレータ端末２０の制御に必要なデータを記憶する。また、オペレータ端末２０は、表示部２４として、液晶表示装置等を備える。
【００４３】
トリガーデータ２１０は、所定のトリガーとなる、ユーザによる所定の動作を検知するためのトリガー基準画像データや、ユーザの声を検知するためのトリガー基準音声データや、所定の環境音を検知するためのトリガー基準環境音データ等が含まれる。また、録音・録画データ２２０は、ウェアラブル端末１０から送信された撮像画像や集音された音声のデータを録画・録音したデータである。
【００４４】
オペレータ端末２０において、制御部２１が録画画像共有プログラム２００を読み込むことで、記憶部２２及び通信部２３と協働して、録画モジュール２０１、録音モジュール２０２、インデックスモジュール２０３、検知モジュール２０４及び時間変更モジュール２０５を実現する。また、オペレータ端末２０において、制御部２１が録画画像共有プログラム２００を読み込むことで、記憶部２２、通信部２３及び表示部２４と協働して、表示制御モジュール２０６を実現する。
【００４５】
［録画画像共有処理］
図５は、オペレータ端末２０が実行する録画画像共有処理のフローチャートである。上述したオペレータ端末２０の各種モジュールが行う録画画像共有処理について説明する。
【００４６】
ステップＳ１において、録画モジュール２０１及び録音モジュール２０２は、ウェアラブル端末１０から撮像画像や集音された音声のデータを受信し、録画・録音し、録音・録画データ２２０を生成し、記憶部２２に記憶する。
【００４７】
ステップＳ２において、インデックスモジュール２０３は、ウェアラブル端末１０から受信した撮像画像や集音された音声のデータに、トリガーデータ２１０に規定された所定のトリガーが含まれていることを検出した場合には、録音・録画データ２２０における撮像画像の時間軸上の位置に、当該所定のトリガーと対応付けたインデックスを付加する。
【００４８】
図６は、オペレータ端末２０の記憶部２２に記憶されたトリガーデータ２１０を説明する図である。トリガーデータ２１０は、所定のトリガーである指さし動作を示す情報であるトリガーＩＤに、所定のトリガーを検知するための基準データと、当該所定のトリガーを検知した場合に、当該所定のトリガーを含む録画画像を表示する時間である所定時間が対応付けられている。
【００４９】
基準データは、所定のトリガーが所定の動作（例えば、指さし動作等）であれば、当該所定の動作を多様な角度や状況から撮像した画像から生成されたトリガー基準画像データであり、所定のトリガーが所定のユーザの声や所定の環境音であれば、予め当該声や当該環境音の波形データから生成されたトリガー基準音声データである。
【００５０】
なお、所定時間は、所定のトリガー毎に異なる時間を設定しているが、これに限らず、録画された画像に応じて変更してもよい。
【００５１】
図７は、オペレータ端末２０が実行する録画画像共有処理の一例を説明する図である。具体的には、図７に示すように、インデックスモジュール２０３は、ウェアラブル端末１０から受信した撮像画像と、トリガーデータ２１０（図６参照）の基準データと、を対比し、近似した撮像画像を検出した場合（図７に示す例では、トリガー基準画像データ０１と近似した撮像画像を検出している。）には、録音・録画データ２２０における当該撮像画像の時間軸上の位置に、トリガーＩＤ（図７に示す例では、所定のトリガーである指さし動作が対応付けられている「０１」）を対応付けたインデックスを付加する。
【００５２】
また、例えば、トリガーデータ２１０（図６参照）に、所定のユーザの声（例えば、開始の合図や録画対象物の名称（例えば、「富士山」）を発声した声等）を検知するための基準データが規定されていた場合、インデックスモジュール２０３は、ウェアラブル端末１０から受信した音声のデータ（例えば、波形データ）と、トリガーデータ２１０（図６参照）の基準データ（トリガー基準音声データ０１等）と、を対比し、近似した波形を検出した場合には、録音・録画データ２２０における当該波形を検出した時間軸上の位置に、当該基準データのトリガーＩＤを対応付けたインデックスを付加する。
【００５３】
また、例えば、トリガーデータ２１０（図６参照）に、所定の環境音（例えば、衝撃音や急ブレーキ音等）を検知するための基準データが規定されていた場合、インデックスモジュール２０３は、ウェアラブル端末１０から受信した音声のデータ（例えば、波形データ）と、トリガーデータ２１０（図６参照）の基準データ（トリガー基準音声データ１０等）と、を対比し、近似した波形を検出した場合には、録音・録画データ２２０における当該波形を検出した時間軸上の位置に、当該基準データのトリガーＩＤを対応付けたインデックスを付加する。
【００５４】
また、インデックスモジュール２０３は、複数種類の所定のトリガーを（例えば、指さし動作と「富士山」と発声したユーザの声）、同時又は時間的に近いタイミングで検出した場合には、検出した複数種類の所定のトリガーのトリガーＩＤを組み合わせて対応付けたインデックスを付加する。
【００５５】
図５に戻って、ステップＳ３において、録画モジュール２０１及び録音モジュール２０２は、ウェアラブル端末１０から撮像画像や集音された音声のデータの録画・録音を終了する。
【００５６】
ステップＳ４において、検知モジュール２０４は、ウェアラブル端末１０から受信した撮像画像や集音された音声のデータに、トリガーデータ２１０に規定された所定のトリガーが含まれていることを検知した場合には、録音・録画データ２２０に付加されたインデックスの中から、検知した所定のトリガーを示すトリガーＩＤが対応付けられているインデックスを抽出する。
【００５７】
ステップＳ５において、時間変更モジュール２０５は、トリガーデータ２１０（図６参照）を参照して、ステップＳ４で検知モジュール２０４が抽出したインデックスのトリガーＩＤの所定時間を、検知された所定のトリガーを含む録画画像を表示する所定時間としてセットする。このような時間変更モジュール２０５は、所定時間を検知手段が検知した対象に応じて変更する時間変更手段として機能する。
【００５８】
ステップＳ６において、表示制御モジュール２０６は、ステップＳ１で録画モジュール２０１及び録音モジュール２０２により録画・録音された録音・録画データ２２０のうち、ステップＳ４で検知モジュール２０４により抽出されたインデックスを含む録画画像を、ステップＳ５で時間変更モジュール２０５がセットした所定時間表示する。即ち、表示制御モジュール２０６は、録画された録画画像のうち、検知された所定のトリガーを含む所定時間の録画画像を、オペレータ端末２０の表示手段に表示する表示制御手段として機能する。また、本ステップにおいて、表示制御モジュール２０６は、当該録画画像を、ウェアラブル端末１０の表示部１６に表示してもよい。
【００５９】
具体的には、図７に示すように、検知モジュール２０４は、ウェアラブル端末１０から受信した撮像画像と、トリガーデータ２１０（図６参照）の基準データと、を対比し、近似した撮像画像を検出した場合（図７に示す例では、トリガー基準画像データ０１と近似した撮像画像を検出している。）には、記憶部２２に記憶された録音・録画データ２２０に付加されたインデックスの中から、検知した所定のトリガーのトリガーＩＤ（図７に示す例では、所定のトリガーである指さし動作が対応付けられている「０１」）が対応付けられているインデックスを抽出する。
【００６０】
また、例えば、トリガーデータ２１０（図６参照）に、所定のユーザの声（例えば、開始の合図や録画対象物の名称（例えば、「富士山」）を発声した声等）を検知するための基準データが規定されていた場合、検知モジュール２０４は、ウェアラブル端末１０から受信した音声のデータ（例えば、波形データ）と、トリガーデータ２１０（図６参照）の基準データ（トリガー基準音声データ０１等）と、を対比し、近似した波形を検出した場合には、記憶部２２に記憶された録音・録画データ２２０に付加されたインデックスの中から、検知した所定のトリガーのトリガーＩＤが対応付けられているインデックスを抽出する。
【００６１】
また、例えば、トリガーデータ２１０（図６参照）に、所定の環境音（例えば、衝撃音や急ブレーキ音等）を検知するための基準データが規定されていた場合、検知モジュール２０４は、ウェアラブル端末１０から受信した音声のデータ（例えば、波形データ）と、トリガーデータ２１０（図６参照）の基準データ（トリガー基準音声データ１０等）と、を対比し、近似した波形を検出した場合には、記憶部２２に記憶された録音・録画データ２２０に付加されたインデックスの中から、検知した所定のトリガーのトリガーＩＤが対応付けられているインデックスを抽出する。
【００６２】
そして、表示制御モジュール２０６は、録音・録画データ２２０のうち、検知モジュール２０４により抽出されたインデックスを含む録画画像（図７に示す例では、指さし動作と富士山が撮像された画像を含む所定時間の録画画像）を、時間変更モジュール２０５がセットした所定時間（図６に示す例において、トリガーＩＤが「０１」の場合、１５秒）、表示部２４やウェアラブル端末１０の表示部１６に表示する。なお、時間変更モジュール２０５は、検知モジュール２０４が、あるインデックスに複数種類のトリガーＩＤを組み合わせて対応付けていた場合には、トリガーデータ２１０（図６参照）においてより長い方の所定時間をセットしてもよい。具体的には、図６に示す例では、時間変更モジュール２０５は、検知モジュール２０４が、あるインデックスにトリガーＩＤ「０１」と「１０」を組み合わせて対応付けていた場合には、所定時間として３０秒をセットする。
【００６３】
上述した手段、機能は、コンピュータ（ＣＰＵ，情報処理装置，各種端末を含む）が、所定のプログラムを読み込んで、実行することによって実現される。プログラムは、例えば、フレキシブルディスク、ＣＤ（ＣＤ−ＲＯＭ等）、ＤＶＤ（ＤＶＤ−ＲＯＭ、ＤＶＤ−ＲＡＭ等）等のコンピュータ読取可能な記録媒体に記録された形態で提供される。この場合、コンピュータはその記録媒体からプログラムを読み取って内部記憶装置又は外部記憶装置に転送し記憶して実行する。また、そのプログラムを、例えば、磁気ディスク、光ディスク、光磁気ディスク等の記憶装置（記録媒体）に予め記録しておき、その記憶装置からコンピュータに提供するようにしてもよい。
【００６４】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００６５】
１  録画画像共有システム、１０  ウェアラブル端末、２０  オペレータ端末、２４  表示部、２０１  録画モジュール、２０４  検知モジュール、２０６  表示制御モジュール
【図１】
2017208352.tif 000003
【図２】
2017208352.tif 000004
【図３】
2017208352.tif 000005
【図４】
2017208352.tif 000006
【図５】
2017208352.tif 000007
【図６】
2017208352.tif 000008
【図７】
2017208352.tif 000009
【手続補正書】
【提出日】平成29年5月24日(2017.5.24)
【手続補正１】
【補正対象書類名】特許請求の範囲
【補正対象項目名】全文
【補正方法】変更
【補正の内容】
【特許請求の範囲】
【請求項１】
ウェアラブル端末で撮像された撮像画像の録画画像を、接続されたオペレータ端末と共有する録画画像共有システムであって、
所定のトリガーであることを示すトリガーＩＤに、所定のトリガーを検知するための基準データと、当該所定のトリガーを検知した場合に当該所定のトリガーを含む録画画像を表示する時間である所定時間とが対応付けられたトリガーデータが予め記憶される記憶手段と、
前記ウェアラブル端末で撮像された撮像画像を録画する録画手段と、
前記基準データを参照して、前記録画された録画画像から所定のトリガーを検知する検知手段と、
前記トリガーデータを参照し、前記検知された所定のトリガーを含む録画画像を表示する時間である所定時間を変更する時間変更手段と、
前記録画された録画画像のうち、前記検知された所定のトリガーを含む録画画像を、前記時間変更手段によって変更された所定時間の間、前記オペレータ端末の表示手段に表示する表示制御手段と、
を備えることを特徴とする録画画像共有システム。
【請求項２】
前記検知手段は、所定のトリガーとして、前記ウェアラブル端末のユーザの動作を検知する
ことを特徴とする請求項１に記載の録画画像共有システム。
【請求項３】
前記ウェアラブル端末で集音された音声を録音する録音手段を備え、
前記検知手段は、前記所定のトリガーとして、前記ウェアラブル端末のユーザの声を検知することを特徴とする請求項１に記載の録画画像共有システム。
【請求項４】
前記ウェアラブル端末で集音された音声を録音する録音手段を備え、
前記検知手段は、前記所定のトリガーとして、前記ウェアラブル端末のユーザの動作と声の組み合わせを検知することを特徴とする請求項１に記載の録画画像共有システム。
【請求項５】
前記検知手段は、前記所定のトリガーとして、所定の環境音を検知することを特徴とする請求項１に記載の録画画像共有システム。
【請求項６】
（削除）
【請求項７】
前記ウェアラブル端末の表示部に、前記検知された所定のトリガーを含む所定時間の録画画像を表示することを特徴とする請求項１に記載の録画画像共有システム。
【請求項８】
ウェアラブル端末で撮像された撮像画像の録画画像を、接続されたオペレータ端末と共有する録画画像共有システムが実行する方法であって、
所定のトリガーであることを示すトリガーＩＤに、所定のトリガーを検知するための基準データと、当該所定のトリガーを検知した場合に当該所定のトリガーを含む録画画像を表示する時間である所定時間とが対応付けられたトリガーデータを予め記憶するステップと、
前記ウェアラブル端末で撮像された撮像画像を録画する録画ステップと、
前記基準データを参照して、前記録画された録画画像から所定のトリガーを検知する検知ステップと、
前記トリガーデータを参照し、前記検知された所定のトリガーを含む録画画像を表示する時間である所定時間を変更する時間変更ステップと、
前記録画された録画画像のうち、前記検知された所定のトリガーを含む録画画像を、前記時間変更手段によって変更された所定時間の間、前記オペレータ端末の表示手段に表示する表示制御ステップと、
を含む方法。
【請求項９】
ウェアラブル端末で撮像された撮像画像の録画画像を、接続されたオペレータ端末と共有する録画画像共有システムを制御するコンピュータを、
所定のトリガーであることを示すトリガーＩＤに、所定のトリガーを検知するための基準データと、当該所定のトリガーを検知した場合に当該所定のトリガーを含む録画画像を表示する時間である所定時間とが対応付けられたトリガーデータが予め記憶される記憶手段、
前記ウェアラブル端末で撮像された撮像画像を録画する録画手段、
前記基準データを参照して、前記録画された録画画像から所定のトリガーを検知する検知手段、
前記トリガーデータを参照し、前記検知された所定のトリガーを含む録画画像を表示する時間である所定時間を変更する時間変更手段、
前記録画された録画画像のうち、前記検知された所定のトリガーを含む録画画像を、前記時間変更手段によって変更された所定時間の間、前記オペレータ端末の表示手段に表示する表示制御手段、
として機能させるためのプログラム。
【手続補正書】
【提出日】平成30年6月23日(2018.6.23)
【手続補正１】
【補正対象書類名】特許請求の範囲
【補正対象項目名】全文
【補正方法】変更
【補正の内容】
【特許請求の範囲】
【請求項１】
ウェアラブル端末で撮像された撮像画像の録画画像を、接続されたオペレータ端末と共有する録画画像共有システムであって、
所定のトリガーであることを示すトリガーＩＤに、所定のトリガーを検知するための基準データと、当該所定のトリガーを検知した場合に当該所定のトリガーを含む録画画像を表示する時間である所定時間とが対応付けられたトリガーデータが予め記憶される記憶手段と、
前記ウェアラブル端末で撮像された撮像画像を録画する録画手段と、
前記基準データを参照して、前記録画された録画画像から所定のトリガーを検知する検知手段と、
前記トリガーデータを参照し、前記検知された所定のトリガーを含む録画画像を表示する時間である所定時間を変更する時間変更手段と、
前記録画された録画画像のうち、前記検知された所定のトリガーを含む録画画像を、前記時間変更手段によって変更された所定時間の間、前記オペレータ端末の表示手段に表示する表示制御手段と、
を備えることを特徴とする録画画像共有システム。
【請求項２】
前記検知手段は、所定のトリガーとして、前記ウェアラブル端末のユーザの動作を検知する、
ことを特徴とする請求項１に記載の録画画像共有システム。
【請求項３】
前記ウェアラブル端末で集音された音声を録音する録音手段を備え、
前記検知手段は、前記所定のトリガーとして、前記ウェアラブル端末のユーザの声を検知する、
ことを特徴とする請求項１に記載の録画画像共有システム。
【請求項４】
前記ウェアラブル端末で集音された音声を録音する録音手段を備え、
前記検知手段は、前記所定のトリガーとして、前記ウェアラブル端末のユーザの動作と声の組み合わせを検知する、
ことを特徴とする請求項１に記載の録画画像共有システム。
【請求項５】
前記検知手段は、前記所定のトリガーとして、所定の環境音を検知する、
ことを特徴とする請求項１に記載の録画画像共有システム。
【請求項６】
前記ウェアラブル端末の表示部に、前記検知された所定のトリガーを含む所定時間の録画画像を表示する、
ことを特徴とする請求項１に記載の録画画像共有システム。
【請求項７】
ウェアラブル端末で撮像された撮像画像の録画画像を、接続されたオペレータ端末と共有する録画画像共有システムが実行する方法であって、
所定のトリガーであることを示すトリガーＩＤに、所定のトリガーを検知するための基準データと、当該所定のトリガーを検知した場合に当該所定のトリガーを含む録画画像を表示する時間である所定時間とが対応付けられたトリガーデータを予め記憶するステップと、
前記ウェアラブル端末で撮像された撮像画像を録画するステップと、
前記基準データを参照して、前記録画された録画画像から所定のトリガーを検知するステップと、
前記トリガーデータを参照し、前記検知された所定のトリガーを含む録画画像を表示する時間である所定時間を変更するステップと、
前記録画された録画画像のうち、前記検知された所定のトリガーを含む録画画像を、前記時間変更手段によって変更された所定時間の間、前記オペレータ端末の表示手段に表示するステップと、
を備えることを特徴とする方法。
【請求項８】
ウェアラブル端末で撮像された撮像画像の録画画像を、接続されたオペレータ端末と共有する録画画像共有システムに、
所定のトリガーであることを示すトリガーＩＤに、所定のトリガーを検知するための基準データと、当該所定のトリガーを検知した場合に当該所定のトリガーを含む録画画像を表示する時間である所定時間とが対応付けられたトリガーデータが予め記憶するステップ、
前記ウェアラブル端末で撮像された撮像画像を録画するステップ、
前記基準データを参照して、前記録画された録画画像から所定のトリガーを検知するステップ、
前記トリガーデータを参照し、前記検知された所定のトリガーを含む録画画像を表示する時間である所定時間を変更するステップ、
前記録画された録画画像のうち、前記検知された所定のトリガーを含む録画画像を、前記時間変更手段によって変更された所定時間の間、前記オペレータ端末の表示手段に表示するステップ、
を実行させるためのコンピュータ読み取り可能なプログラム。
【国際調査報告】
2017208352.tif 000010
2017208352.tif 000011
2017208352.tif 000012
2017208352.tif 000013